(57)【特許請求の範囲】
【請求項１】
コンクリートスラブを構築する際のコンクリート打設時にその上端鉄筋と下端鉄筋とを保持するスラブ配筋用スペーサであって、
コンクリート型枠の上面に載置される、棒状の金属からなる脚部と、
この脚部の上方に設けられ、前記コンクリートスラブの上端鉄筋と下端鉄筋とをそれぞれ挿入して固定可能なほぼＣ字形状をなす複数の鉄筋固定部と、
この鉄筋固定部のほぼＣ字形状の内周面に貼着される、ゴム、シリコンなどの弾性素材からなる弾性体とを備えることを特徴とするスラブ配筋用スペーサ。
【発明の詳細な説明】
【０００１】
【発明の属する技術分野】
本発明は、コンクリートスラブを構築する際に、上端鉄筋と下端鉄筋を所定位置に保持するために使用するスラブ配筋用スペーサに関する。
【０００２】
建築物や構造物のコンクリートスラブを構築する際に、上端鉄筋と下端鉄筋とを複数段にわたって配筋した後、コンクリート打設が行われる。このとき、上端鉄筋と下端鉄筋とを所定位置に保持するための補助具としてスペーサが使用されている。
【０００３】
このようなスペーサの例として、例えば特開２００１−２７９８６７号公報に開示されているように、鉄線材を山形に屈曲させて形成した２本の鉄筋支持部材を、その頂上付近で９０度交差させ互いに溶接によって固着し、片方の鉄筋支持部材の頂上付近に下に凸に屈曲した上筋保持部を設け、他方の鉄筋支持部材の裾野付近に下に凸に屈曲した下筋保持部を設け、鉄筋支持部材１１，１２の下端に水平な接地部を形成したものが案出されている。
【０００４】
このスペーサによれば、上端鉄筋と下端鉄筋とをスペーサの上筋保持部と下筋保持部とに載置可能であるが、スペーサに固定されるわけではない。
コンクリート打設時には、作業者の歩行やコンクリート打設管の移動、コンクリートの締固めに用いるバイブレータなどによって鉄筋に衝撃力が加わるので、上端鉄筋と下端鉄筋とがスペーサから外れることのないように、上端鉄筋、下端鉄筋とスペーサとを番線などで固定する必要がある。この配筋作業には、多大な労力を要していた。
【０００５】
また、鉄筋が外れにくいスペーサとして、円板の一部に鉄筋固定用の切欠を設けたスペーサドーナツが用いられているが、上端鉄筋と下端鉄筋とのスラブ下面からの高さが異なるため、互いに高さが異なる上端筋用スペーサと下端筋用スペーサとを用いる必要が生じる。
この結果、使用するスペーサの個数が多くなるとともに、２種類のスペーサを使い分ける必要があるため、配筋作業に多大な労力と時間が費やされていた。
【０００６】
【発明が解決しようとする課題】
本発明の課題は、コンクリートスラブの上端鉄筋と下端鉄筋とを固定的に支持可能で、配筋作業を大幅に簡略化することのできるスラブ配筋用スペーサを提供することである。
【０００７】
【課題を解決するための手段】
請求項１に記載の発明は、例えば図１に示すように、
コンクリートスラブを構築する際のコンクリート打設時にその上端鉄筋Ｒ１と下端鉄筋Ｒ２とを保持するスラブ配筋用スペーサ１であって、
コンクリート型枠の上面に載置される、棒状の金属からなる脚部１１と、
この脚部１１の上方に設けられ、前記コンクリートスラブの上端鉄筋Ｒ１と下端鉄筋Ｒ２とをそれぞれ挿入して固定可能なほぼＣ字形状をなす複数の鉄筋固定部１２とを備えることを特徴とする。
【０００８】
請求項１に記載の発明によれば、スラブ配筋用スペーサが、コンクリート型枠の上面に載置される、棒状の金属からなる脚部と、この脚部の上方に設けられ、コンクリートスラブの上端鉄筋と下端鉄筋とをそれぞれ挿入して固定可能なほぼＣ字形状をなす複数の鉄筋固定部とを備えているので、作業者の歩行やコンクリート打設管の移動、コンクリートの締固めに用いるバイブレータなどによって鉄筋に衝撃力が加わっても、上端鉄筋と下端鉄筋とが棒状金属によるスラブ配筋用スペーサのほぼＣ字形状をなす鉄筋固定部から外れることを防止できる。
また、上端鉄筋、下端鉄筋が棒状金属によるスラブ配筋用スペーサの鉄筋固定部のほぼＣ字形状内に挿入して固定されるので、上端鉄筋、下端鉄筋をスラブ配筋用スペーサに番線などで固定する必要がなく、コンクリートスラブの配筋作業を大幅に簡略化できる。
【０００９】
さらに、請求項１に記載の発明は、前記鉄筋固定部１２のほぼＣ字形状の内周面に貼着される、ゴム、シリコンなどの弾性素材からなる弾性体１２ｂを備えることも特徴とする。
ここで、前記弾性体としては、ゴム、シリコンなどの弾性素材を適用することが可能である。
【００１０】
従って、請求項１に記載の発明によれば、鉄筋固定部のほぼＣ字形状の内周面に貼着される、ゴム、シリコンなどの弾性素材からなる弾性体を備えているので、鉄筋固定部のほぼＣ字形状内に上端鉄筋または下端鉄筋を挿入してそのほぼＣ字形状内周面に貼着された、ゴム、シリコンなどの弾性素材による弾性体の弾発力により確実に固定できる。
また、上端鉄筋または下端鉄筋の径が２〜３ｍｍ程度異なる場合に、同一形状のスラブ配筋用スペーサを兼用することができる。
【００１１】
【発明の実施の形態】
以下、図面を参照しながら、本発明に係るスラブ配筋用スペーサについて、その実施の形態を具体的に説明する。
【００１２】
本実施の形態のスラブ配筋用スペーサ１は、図１に示すように、コンクリート床スラブを構築する際のコンクリート打設時にその上端鉄筋Ｒ１と下端鉄筋Ｒ２とを保持するスラブ配筋用スペーサ１であって、
コンクリート型枠の上面に載置される脚部１１と、
この脚部１１の上方に設けられ、コンクリートスラブの上端鉄筋Ｒ１と下端鉄筋Ｒ２とをそれぞれ固定可能な複数の鉄筋固定部１２と
を備えて、概略構成されたものである。
【００１３】
脚部１１は、棒状の金属からなる４本の脚１１ａから構成されている。この４本の脚１１ａのうちの一部は、図１に示すように上方に延在し、ほぼＣ字形状の鉄筋固定部１２の外枠１２ａを構成している。
鉄筋固定部１２の外枠１２ａの内周面にはゴム（弾性体）１２ｂが貼着され、この弾性体１２ｂの弾発力により鉄筋固定部１２に上端鉄筋Ｒ１または下端鉄筋Ｒ２を挿入し固定可能とされている。
【００１４】
スラブ配筋用スペーサ１は、その鉄筋固定部１２に上端鉄筋Ｒ１、下端鉄筋Ｒ２がまだ固定されてない状態での重心と、鉄筋固定部１２に端鉄筋Ｒ１、下端鉄筋Ｒ２が固定された状態での重心とが、脚部１１の４本の角脚１１ａを頂点とする四角形の内側に位置するように設計されている。
【００１５】
本実施の形態に記載のスラブ配筋用スペーサによれば、スラブ配筋用スペーサ１が、コンクリート型枠の上面に載置される脚部１１と、この脚部１１の上方に設けられ、前記コンクリートスラブの上端鉄筋Ｒ１と下端鉄筋Ｒ２とをそれぞれ固定可能な複数の鉄筋固定部１２とを備えているので、作業者の歩行やコンクリート打設管の移動、コンクリートの締固めに用いるバイブレータなどによって鉄筋に衝撃力が加わっても、上端鉄筋と下端鉄筋とがスラブ配筋用スペーサ１から外れることを防止できる。
また、上端鉄筋Ｒ１、下端鉄筋Ｒ２がスラブ配筋用スペーサ１の鉄筋固定部１２に固定されるので、上端鉄筋Ｒ１、下端鉄筋Ｒ２をスラブ配筋用スペーサ１に番線などで固定する必要がなく、コンクリートスラブの配筋作業を大幅に簡略化できる。
【００１６】
また、鉄筋固定部１２にはゴム１２ｂが備えられ、この弾性体１２ｂの弾発力により鉄筋固定部１２に上端鉄筋Ｒ１または下端鉄筋Ｒ２を挿入し固定可能とされているので、鉄筋固定部１２に上端鉄筋Ｒ１または下端鉄筋Ｒ２を挿入して確実に固定できる。
また、上端鉄筋Ｒ１または下端鉄筋Ｒ２の径が２〜３ｍｍ程度異なる場合に、同一形状のスラブ配筋用スペーサ１を兼用することができる。
【００１７】
なお、本発明のスラブ配筋用スペーサは、上記の実施の形態に限定されることなく、本発明の趣旨を逸脱しない範囲内おいて、種々の改良並びに設計の変更を行っても良い。
例えば、上記の実施の形態のスラブ配筋用スペーサ１は、互いに平行に上下２段に平行に配設される上端鉄筋Ｒ１と下端鉄筋Ｒ２とを固定し、支持するものであるが、２つの鉄筋固定部１２の一方の向きをスラブ配筋用スペーサ１の高さ方向を軸として９０度回転させれば、互いに交差するように上下２段に配設される上端鉄筋Ｒ１と下端鉄筋Ｒ２とを固定することができる。
また、互いに交差するように２方向に配設された上端鉄筋２本と、互いに交差するように２方向に配設された下端鉄筋２本と、合計４本の鉄筋を固定するために、スラブ配筋用スペーサに、上端鉄筋を固定するための鉄筋固定部と、下端鉄筋を固定するための鉄筋固定部とをそれぞれ２つずつ設けてもよい。このようなスラブ配筋用スペーサを用いれば、互いに交差するように２方向に配設された上端鉄筋どうしを番線などで結束する必要が無くなる。同様に、下端鉄筋どうしを番線などで結束する必要も無くなる。このように、コンクリートスラブの配筋作業を大幅に簡略化できる。
その他、具体的な細部構造等についても適宜に変更可能であることは勿論である。
【００１８】
【発明の効果】
請求項１に記載の発明によれば、作業者の歩行やコンクリート打設管の移動、コンクリートの締固めに用いるバイブレータなどによって鉄筋に衝撃力が加わっても、上端鉄筋と下端鉄筋とが棒状金属によるスラブ配筋用スペーサのほぼＣ字形状をなす鉄筋固定部から外れることを防止できる。
また、上端鉄筋、下端鉄筋が棒状金属によるスラブ配筋用スペーサの鉄筋固定部のほぼＣ字形状内に挿入して固定されるので、上端鉄筋、下端鉄筋をスラブ配筋用スペーサに番線などで固定する必要がなく、コンクリートスラブの配筋作業を大幅に簡略化できる。
【００１９】
さらに、鉄筋固定部のほぼＣ字形状内に上端鉄筋または下端鉄筋を挿入してそのほぼＣ字形状内周面に貼着された、ゴム、シリコンなどの弾性素材による弾性体の弾発力により確実に固定できる。
また、上端鉄筋または下端鉄筋の径が２〜３ｍｍ程度異なる場合に、同一形状のスラブ配筋用スペーサを兼用することができる。
【図面の簡単な説明】
【図１】本発明に係るスラブ配筋用スペーサの一例を示す、斜視図である。
【符号の説明】
１      スラブ配筋用スペーサ
１１      脚部
１２      挟持部
１２ｂ    弾性体（ゴム）
Ｒ１    上端鉄筋
Ｒ２    下端鉄筋
【図１】
0003681699.tif 000002